(57)【要約】【課題】  ユーザの潜在的なデザインイメージを反映させた電子文書の作成を支援する情報処理システムを提供する。【解決手段】  作成支援サーバ４は、旅行ガイドブック及び旅行先の位置情報に関連付けて旅行アルバムのテンプレートを格納しており、ユーザが所持している旅行ガイドブックの識別情報と、旅行先におけるユーザの位置情報とに基づいて、旅行ガイドブックとデザインイメージが近く、かつ、ユーザの現在地（観光地）に関連付けられたテンプレートをユーザに提供して、アルバムの作成を促す。【選択図】図３
2014153926.tif 000002
【特許請求の範囲】
【請求項１】
出版物及び位置情報に関連付けて、テンプレートを格納するテンプレート格納手段と、
出版物を識別する識別情報を取得する識別情報取得手段と、
携帯端末から位置情報を取得する位置情報取得手段と、
前記識別情報取得手段により取得された出版物の識別情報と、前記位置情報取得手段により取得された位置情報とに基づいて、前記テンプレート格納手段に格納されているテンプレートの中から、提供するテンプレートを選択する選択手段と、
前記選択手段により選択されたテンプレートを、前記携帯端末に送信するテンプレート送信手段と
を有する情報処理装置。
【請求項２】
前記出版物は、携帯端末で読み取り可能な識別コードが付された旅行ガイドブックであり、
前記識別情報取得手段は、携帯端末により読み取られた識別コードを取得し、
前記選択手段は、旅行ガイドブックから読み取られた識別コードに基づいて、テンプレートを選択する
請求項１に記載の情報処理装置。
【請求項３】
前記テンプレート格納手段は、それぞれの旅行ガイドブック、及び、それぞれの旅行ガイドブックに掲載されている旅行先の位置情報に関連付けて、少なくとも旅行先に関連する情報が掲載されたテンプレートを格納する
請求項２に記載の情報処理装置。
【請求項４】
携帯端末から受信した編集指示情報に基づいて、前記選択手段により選択されたテンプレートに対する編集処理を行う編集手段
をさらに有する請求項３に記載の情報処理装置。
【請求項５】
携帯端末に対するユーザの操作に応じて、編集対象となる同一のテンプレートに関して、複数のユーザによる閲覧又は編集を許可する共有設定手段
をさらに有し、
前記テンプレート送信手段は、前記共有設定手段により閲覧又は編集が許可された複数のユーザの携帯端末に対して、同一のテンプレートを送信する
請求項４に記載の情報処理装置。
【請求項６】
前記共有設定手段は、互いに近接した複数の携帯端末に対するユーザ操作を検知して、共有設定を行う
請求項５に記載の情報処理装置。
【請求項７】
前記テンプレートに挿入される画像データの撮影タイミングと、音声を録音した録音タイミングとに基づいて、録音された音声データに対応する文字列を、挿入される画像データに関連付けて表示させるコメント付加手段
をさらに有する請求項６に記載の情報処理装置。
【請求項８】
パンフレット撮影モード及び通常撮影モードのうち、パンフレット撮影モードが選択された場合に、撮影された画像から、パンフレットの形状に対応する画像領域を抽出するパンフレット抽出手段
をさらに有する請求項７に記載の情報処理装置。
【請求項９】
携帯端末と情報処理装置とを含む情報処理システムであって、
前記情報処理装置は、
出版物及び位置情報に関連付けて、テンプレートを格納するテンプレート格納手段と、
出版物を識別する識別情報を取得する識別情報取得手段と、
前記携帯端末から位置情報を取得する位置情報取得手段と、
前記識別情報取得手段により取得された出版物の識別情報と、前記位置情報取得手段により取得された位置情報とに基づいて、前記テンプレート格納手段に格納されているテンプレートの中から、提供するテンプレートを選択する選択手段と、
前記選択手段により選択されたテンプレートを、前記携帯端末に送信するテンプレート送信手段と
を有する
情報処理システム。
【請求項１０】
出版物を識別する識別情報を取得する識別情報取得機能と、
携帯端末から位置情報を取得する位置情報取得機能と、
前記識別情報取得機能により取得された出版物の識別情報と、前記位置情報取得機能により取得された位置情報とに基づいて、出版物及び位置情報に関連付けてテンプレートを格納するテンプレートデータベースから、提供するテンプレートを選択する選択機能と、
前記選択機能により選択されたテンプレートを、前記携帯端末に送信するテンプレート送信機能と
をコンピュータに実現させるプログラム。
【発明の詳細な説明】
【技術分野】
【０００１】
本発明は、情報処理装置、情報処理システム、及びプログラムに関する。
【背景技術】
【０００２】
例えば、特許文献１には、文書または画像を含むコンテンツを所定のデザインを持つテンプレート上に展開して表示するために適用する異なるデザインの複数のテンプレートをテンプレート属性情報とともに格納した記憶部と、前記コンテンツの構成情報を検索キーとして、前記テンプレート属性情報とのマッチング処理を行い、マッチ率の高いテンプレート属性情報を持つテンプレートをコンテンツ表示に適用するコンテンツ対応テンプレートとして選択する処理を実行する制御部を有する情報処理装置が開示されている。
【０００３】
また、特許文献２には、ネットワークに接続する複数の携帯端末装置の各々が、他の携帯端末装置のユーザに関連するユーザ情報を前記ネットワークに接続するサーバ装置から取得する携帯端末装置による情報共有システムであって、前記携帯端末装置は、前記サーバ装置に自己の識別情報の登録を求める第１の端末登録部と、前記サーバ装置に自己のユーザ情報の登録を求める第１の共有情報登録部と、前記サーバ装置に前記識別情報を登録された他の携帯端末装置との間で、前記ユーザ情報の共有登録を求める第１のペアリング登録部と、前記サーバ装置に前記ユーザ情報の共有を許可された他の携帯端末装置のユーザ情報の参照を求める第１の共有情報参照部とを備え、前記サーバ装置は、前記第１の端末登録部の登録要求に基づいて前記携帯端末装置を登録する第２の端末登録部と、前記第１の共有情報登録部の登録要求に基づいてユーザ情報を登録する第２の共有情報登録部と、前記第１のペアリング登録部の登録要求に基づいて前記ユーザ情報の共有許可を許可する第２のペアリング登録部と、前記第１の共有情報参照部の参照要求に基づいてユーザ情報の参照を認める第２の共有情報参照部とを備えることを特徴とする携帯端末装置による情報共有システムが開示されている。
【０００４】
また、特許文献３には、端末装置とは通信ネットワークを介して接続される電子アルバム作成支援装置であって、前記端末装置を介して行程情報の基本要素を取り込み、当該基本要素に基づき事前に用意されたシナリオ作成用素材データから電子アルバム形式の行程シナリオを生成する行程シナリオ生成部と、前記行程を消化中に撮影した写真画像およびその撮影時点の位置情報および時刻情報を受信し、前記生成された行程シナリオと関連付けて所望の電子アルバムを生成する電子アルバム生成部と、を備えることを特徴とする電子アルバム作成支援装置が開示されている。
【先行技術文献】
【特許文献】
【０００５】
【特許文献１】特開２０１０−１７６２４９
【特許文献２】特開２００８−０４７０２２
【特許文献３】特開２００５−６３３０２
【発明の概要】
【発明が解決しようとする課題】
【０００６】
ユーザの潜在的なデザインイメージを反映させた電子文書の作成を支援する情報処理システムを提供することを目的とする。
【課題を解決するための手段】
【０００７】
本発明に係る情報処理装置は、出版物及び位置情報に関連付けて、テンプレートを格納するテンプレート格納手段と、出版物を識別する識別情報を取得する識別情報取得手段と、携帯端末から位置情報を取得する位置情報取得手段と、前記識別情報取得手段により取得された出版物の識別情報と、前記位置情報取得手段により取得された位置情報とに基づいて、前記テンプレート格納手段に格納されているテンプレートの中から、提供するテンプレートを選択する選択手段と、前記選択手段により選択されたテンプレートを、前記携帯端末に送信するテンプレート送信手段とを有する。
【０００８】
好適には、前記出版物は、携帯端末で読み取り可能な識別コードが付された旅行ガイドブックであり、前記識別情報取得手段は、携帯端末により読み取られた識別コードを取得し、前記選択手段は、旅行ガイドブックから読み取られた識別コードに基づいて、テンプレートを選択する。
【０００９】
好適には、前記テンプレート格納手段は、それぞれの旅行ガイドブック、及び、それぞれの旅行ガイドブックに掲載されている旅行先の位置情報に関連付けて、少なくとも旅行先に関連する情報が掲載されたテンプレートを格納する。
【００１０】
好適には、携帯端末から受信した編集指示情報に基づいて、前記選択手段により選択されたテンプレートに対する編集処理を行う編集手段をさらに有する。
【００１１】
好適には、携帯端末に対するユーザの操作に応じて、編集対象となる同一のテンプレートに関して、複数のユーザによる閲覧又は編集を許可する共有設定手段をさらに有し、前記テンプレート送信手段は、前記共有設定手段により閲覧又は編集が許可された複数のユーザの携帯端末に対して、同一のテンプレートを送信する。
【００１２】
好適には、前記共有設定手段は、互いに近接した複数の携帯端末に対するユーザ操作を検知して、共有設定を行う。
【００１３】
好適には、前記テンプレートに挿入される画像データの撮影タイミングと、音声を録音した録音タイミングとに基づいて、録音された音声データに対応する文字列を、挿入される画像データに関連付けて表示させるコメント付加手段をさらに有する。  
【００１４】
好適には、パンフレット撮影モード及び通常撮影モードのうち、パンフレット撮影モードが選択された場合に、撮影された画像から、パンフレットの形状に対応する画像領域を抽出するパンフレット抽出手段をさらに有する。
【００１５】
本発明に係る情報処理システムは、携帯端末と情報処理装置とを含む情報処理システムであって、  前記情報処理装置は、出版物及び位置情報に関連付けて、テンプレートを格納するテンプレート格納手段と、出版物を識別する識別情報を取得する識別情報取得手段と、前記携帯端末から位置情報を取得する位置情報取得手段と、前記識別情報取得手段により取得された出版物の識別情報と、前記位置情報取得手段により取得された位置情報とに基づいて、前記テンプレート格納手段に格納されているテンプレートの中から、提供するテンプレートを選択する選択手段と、前記選択手段により選択されたテンプレートを、前記携帯端末に送信するテンプレート送信手段とを有する。
【００１６】
本発明に係るプログラムは、出版物を識別する識別情報を取得する識別情報取得機能と、携帯端末から位置情報を取得する位置情報取得機能と、前記識別情報取得機能により取得された出版物の識別情報と、前記位置情報取得機能により取得された位置情報とに基づいて、出版物及び位置情報に関連付けてテンプレートを格納するテンプレートデータベースから、提供するテンプレートを選択する選択機能と、前記選択機能により選択されたテンプレートを、前記携帯端末に送信するテンプレート送信機能とをコンピュータに実現させる。
【発明の効果】
【００１７】
ユーザのデザインイメージに近い電子文書を容易に作成できる。
【図面の簡単な説明】
【００１８】
【図１】アルバム編集システム１のハードウェア構成を例示する図である。
【図２】アルバム編集システム１を用いて編集されるアルバムと、出版物との関係を模式的に表す図である。
【図３】デザインテーマの概念を模式的に表す図である。
【図４】作成支援サーバ４のハードウェア構成を例示する図である。
【図５】作成支援サーバ４の機能構成を例示する図である。
【図６】携帯端末３のハードウェア構成を例示する図である。
【図７】携帯端末３の機能構成を例示する図である。
【図８】作成支援サーバ４により管理されるテンプレートのデータ構造を例示する図である。
【図９】作成支援サーバ４により管理されるユーザデータのデータ構造を例示する図である。
【図１０】アルバムの状態遷移を表す図である。
【図１１】作成支援サーバ４がテンプレートに画像を追加する画像追加処理（Ｓ１０）のフローチャートである。
【図１２】作成支援サーバ４がテンプレートにコメントを追加するコメント追加処理（Ｓ２０）のフローチャートである。
【図１３】作成支援サーバ４による共有設定処理（Ｓ３０）のフローチャートである。
【図１４】アルバムの作成例を表す図である。
【発明を実施するための形態】
【００１９】
以下、本発明の実施形態を、図面を参照して説明する。
図１は、アルバム編集システム１のハードウェア構成を例示する図である。
図１に例示するように、アルバム編集システム１は、携帯端末３と、作成支援サーバ４とを含む。
携帯端末３は、アルバム編集を行うユーザが操作する携帯型のコンピュータ端末である。本例では、アルバム編集を主導するユーザ（オーナー）と、このアルバム編集に参画する他のユーザ（参加者）とが存在し、それぞれのユーザが携帯端末３を所持する形態を具体例として説明する。
【００２０】
図２は、アルバム編集システム１を用いて編集されるアルバムと、出版物との関係を模式的に表す図である。
図３は、デザインテーマの概念を模式的に表す図である。
図２に例示するように、本実施形態では、複数の出版物９０（具体的には、旅行ガイドブック）それぞれが、旅行アルバムのテンプレート９１に関連付けられている。より具体的には、出版物９０にはコンピュータで読み取り可能な形式で出版物を識別するための識別情報（本例では、二次元コード９００）が付されており、作成支援サーバ４は、各出版物９０の識別情報に関連付けて、アルバムのテンプレートを格納している。
それぞれの旅行アルバムのテンプレート９１は、関連付けられた出版物９０（旅行ガイドブック）と共通のデザインテーマの下で作成されたものである。したがって、このようなテンプレート９１を用いて作成されるアルバム９２も、出版物９０（旅行ガイドブック）とデザインテーマが共通する。
ここで、本発明に係る出版物とは、印刷された出版物だけでなく、電子出版物も含む概念である。
本実施形態のアルバム編集システム１は、上記のように、旅行ガイドブック９０に関連付けられたアルバムのテンプレートを提供することにより、ユーザが選んだ旅行ガイドブック９０とデザインやテイストが近いアルバム９２の作成を支援する。
特に、自身の好みに合わせて自由にデザインできる場面であっても、一般に自分が好きなデザインイメージを具現化することは容易ではない。本実施形態では、図３に例示するように、複数存在するガイドブックの中から、ユーザが具体的なデザインを見て選択しているのであるから、この選択の中には、ユーザの潜在的なデザインイメージが含まれている可能性が高く、このデザインイメージで作成されたテンプレートを用いることにより、ユーザの潜在的なデザインイメージが自動的に旅行アルバムに反映されることが期待できる。また、図３に例示するように、観光スポット毎にアルバムのテンプレートが提供されるため、観光の現場で感じたことを直ちにアルバムに反映させることができる。
【００２１】
図４は、作成支援サーバ４のハードウェア構成を例示する図である。
図４に例示するように、作成支援サーバ４は、ＣＰＵ４００、メモリ４０２、ＨＤＤ４０４、ネットワークインタフェース４０６（ネットワークＩＦ４０６）、表示装置４０８、及び入力装置４１０を有し、これらの構成はバス４１２を介して互いに接続している。
ＣＰＵ４００は、例えば、中央演算装置である。
メモリ４０２は、例えば、揮発性メモリであり、主記憶装置として機能する。
ＨＤＤ４０４は、例えば、ハードディスクドライブ装置であり、不揮発性の記録装置としてコンピュータプログラムやその他のデータファイルを格納する。
ネットワークＩＦ４０６は、有線又は無線で通信するためのインタフェースであり、インターネットを介した携帯端末３との通信を実現する。
表示装置４０８は、例えば、液晶ディスプレイである。
入力装置４１０は、例えば、キーボード及びマウスである。
【００２２】
図５は、作成支援サーバ４の機能構成を例示する図である。
図５に例示するように、本例の作成支援サーバ４には、作成支援プログラム５０がインストールされると共に、テンプレートデータベース６００（テンプレートＤＢ６００）、アルバムデータベース６１０（アルバムＤＢ６１０）、及びグループデータベース６２０（グループＤＢ６２０）が構成される。
作成支援プログラム５０は、識別情報取得部５００、場所特定部５１０、テンプレート選択部５２０、テンプレート送信部５３０、アルバム編集部５４０、コメント付加部５５０、パンフレット抽出部５６０、ユーザ管理部５７０、及びアルバム配信部５８０を有する。
なお、作成支援プログラム５０の一部又は全部は、ＡＳＩＣなどのハードウェアにより実現されてもよい。
【００２３】
作成支援プログラム５０において、識別情報取得部５００は、携帯端末３から、出版物を識別する識別情報を取得する。
例えば、識別情報取得部５００は、出版物９０に付された出版物の識別コードを取得する。なお、本例では、出版物の識別情報として識別コード（ＩＳＢＮなど）を用いる形態を説明するが、これに限定されるものではなく、例えば、出版社名及び書籍名の組合せを識別情報としてもよい。
本例の識別情報取得部５００は、旅行ガイドブック９０に付された二次元コード９００が携帯端末３により撮影された場合に、この二次元コード９００から読み取られた識別コードを携帯端末３からインターネット経由で受信する。
【００２４】
場所特定部５１０は、携帯端末３が存在する場所を特定する。
例えば、場所特定部５１０は、携帯端末３から、ＧＰＳ（Ｇｌｏｂａｌ  Ｐｏｓｉｔｉｏｎｉｎｇ  Ｓｙｓｔｅｍ）から取得した位置情報、又は、通信に使用している基地局に関する情報を、携帯端末３の位置情報として取得する。
本例の場所特定部５１０は、携帯端末３により撮影が行われた時の位置情報（ＧＰＳデータ）を、画像データに添付された状態で携帯端末３から受信する。
【００２５】
テンプレート選択部５２０は、テンプレートＤＢ６００に格納されているテンプレートの中から、識別情報取得部５００により取得された出版物９０の識別情報と、場所特定部５１０により特定された携帯端末３の場所とに基づいて、携帯端末３に提供すべきテンプレートを選択する。
本例のテンプレート選択部５２０は、識別情報取得部５００により受信された出版物の識別コードと、場所特定部５１０により受信された位置情報とをキーとして、テンプレートＤＢ６００内で、テンプレートを検索する。
【００２６】
テンプレート送信部５３０は、テンプレート選択部５２０により選択されたテンプレート又は他の構成（アルバム編集部５４０、コメント付加部５５０など）により編集されたテンプレートを、携帯端末３に送信して、テンプレートのプレビューを実現させる。
【００２７】
アルバム編集部５４０は、携帯端末３から受信した編集指示情報に基づいて、テンプレート選択部５２０により選択されたテンプレートを編集する。
例えば、アルバム編集部５４０は、テンプレートに対して、画像の挿入又は削除、挿入された画像に対する画像編集、又は、文字列の挿入又は削除などを行う。
【００２８】
コメント付加部５５０は、テンプレートに挿入される画像データの撮影タイミングと、音声を録音した録音タイミングとに基づいて、録音された音声データに対応する文字列を、挿入される画像データに関連付けて表示させる。
例えば、コメント付加部５５０は、テンプレートに挿入する画像が携帯端末３により撮影されたタイミングを基準として、その前後の既定の時間帯内に、この携帯端末３により音声が録音された場合に、この携帯端末３から受信した音声データを認識して、文字列に変換し、変換された文字列を吹き出し画像に挿入して、テンプレート上の当該画像に吹き出し画像を合成する。
本例のコメント付加部５５０は、音声の認識処理として、テンプレートに関連付けられた候補文字列（すなわち、旅行ガイドブック及び画像撮影場所に関連付けられた候補文字列）を用いて、音声データに含まれる文字列を特定する。これにより、ユーザが知っている情報（旅行ガイドブックから知得した情報）や、旅行先に関する情報に基づいて、ユーザが発話する可能性の高い文字列を候補文字列とできるため、音声認識の成功率向上が期待できる。
また、本例のコメント付加部５５０は、テンプレートに関連付けられた吹き出し画像（すなわち、旅行ガイドブック及び画像撮影場所に関連付けられた候補文字列）を用いる。これにより、旅行ガイドブックとデザイン（色調、形状及び大きさ）を共通にする吹き出し画像が、アルバムに収められた写真の周囲に貼り付けることができる。
【００２９】
パンフレット抽出部５６０は、パンフレット撮影モード及び通常撮影モードのうち、パンフレット撮影モードが選択された場合に、撮影された画像から、パンフレット形状に対応する画像領域を抽出する。
例えば、パンフレット抽出部５６０は、パンフレット撮影モードが選択されている場合に、テンプレートに関連付けられたパンフレット定義（すなわち、旅行ガイドブック及び画像撮影場所に関連付けられた候補文字列）を用いて、撮影された画像から、パンフレットに相当する画像領域を特定し、特定された画像領域を切り出し、切り出された画像領域をパンフレット画像としてテンプレートに貼り付ける。ここで、パンフレット定義とは、パンフレットの特徴の少なくとも一部を示す情報であり、例えば、パンフレットの形状を示す情報、パンフレットに用いられている色を示す情報、又は、パンフレットに含まれている文字列を示す情報などである。
【００３０】
ユーザ管理部５７０は、アルバムを作成するユーザを管理する。
また、ユーザ管理部５７０は、アルバムを共同編集するユーザ（参加者）の登録を行う。例えば、ユーザ管理部５７０は、互いに近接した複数の携帯端末３に対するユーザ操作を検知した場合に、これらの携帯端末のユーザをアルバムの共同編集者に登録する。
本例のユーザ管理部５７０は、複数の携帯端末３によるバンプ操作（携帯端末同士をぶつけ合う操作）を検知し、かつ、バンプ操作を行った携帯端末のいずれかがアルバムのオーナーの端末である場合に、他の携帯端末のユーザを参加者として登録し、このアルバムの閲覧及び編集を許可する。
【００３１】
アルバム配信部５８０は、アルバム９２が完成した場合に、完成したアルバム９２をユーザの携帯端末３に配信する。
本例のアルバム配信部５８０は、オーナーの携帯端末３により「ただいま」という音声が検知されたことを条件として、このオーナーのアルバム９２が完成したものと判断して、完成したアルバム９２を、このオーナー及び参加者の携帯端末３に配信する。
【００３２】
図６は、携帯端末３のハードウェア構成を例示する図である。
図６に例示するように、携帯端末３は、ＣＰＵ３００、揮発性メモリ３０２、不揮発性メモリ３０４、ネットワークインタフェース３０６（ネットワークＩＦ３０６）、タッチパネル３０８、カメラ３１０、位置特定装置３１２、音声入出力装置３１４、及び加速度センサ３１５を有し、これらの構成はバス３１６を介して互いに接続している。
ＣＰＵ３００は、例えば、中央演算装置である。
揮発性メモリ３０２は、例えば、主記憶装置として機能する。
不揮発性メモリ３０４は、例えば、不揮発性の記録装置としてコンピュータプログラムやその他のデータファイルを格納する。
ネットワークＩＦ３０６は、無線で通信するためのインタフェースであり、電話回線又はインターネットを介した作成支援サーバ４との通信を実現する。
タッチパネル３０８は、例えば、表示装置及び入力装置として機能するディスプレイである。
カメラ３１０は、例えば、携帯端末３に内蔵された撮影装置である。なお、カメラ３１０は、ＵＳＢケーブルなどにより外部接続された撮影装置であってもよい。
位置特定装置３１２は、例えば、ＧＰＳ信号を受信し、受信した信号に基づいて現在位置を特定する装置である。
音声入出力装置３１４は、例えば、マイク及びスピーカを含み、音声の入力及び出力を実現する。
加速度センサ３１５は、携帯端末３の加速度を検知するセンサーである。
【００３３】
図７は、携帯端末３の機能構成を例示する図である。
図７に例示するように、携帯端末３には、編集支援プログラム３５０がインストールされている。編集支援プログラム３５０は、位置情報取得部３５２、カメラ制御部３５４、音声入出力制御部３５６、入出力部３５８、及び通信制御部３６０を有する。なお、本プログラムの一部又は全部は、ＡＳＩＣなどのハードウェアによって実現されてもよく、また、ＯＳ（Ｏｐｅｒａｔｉｎｇ Ｓｙｓｔｅｍ）の機能を一部借用して実現されてもよい。
【００３４】
編集支援プログラム３５０において、位置情報取得部３５２は、位置特定装置３１２を制御して、携帯端末３の位置を特定し、特定された位置情報を作成支援サーバ４に送信する。
本例の位置情報取得部３５２は、携帯端末３により画像が撮影された場合に、撮影時の位置を特定し、特定された位置情報を、撮影された画像データに添付する。
【００３５】
カメラ制御部３５４は、カメラ３１０を制御して、写真の撮影を行う。
音声入出力制御部３５６は、音声入出力装置３１４を制御して、音声の入力、及び、音声の出力を実現する。また、本例の音声入出力制御部３５６は、入力された音声データを録音し、録音された音声データを作成支援サーバ４に送信する。
【００３６】
入出力部３５８は、タッチパネル３０８を制御して、ユーザによる入力操作を検知すると共に、テンプレートや写真画像などの表示を行う。また、入出力部３５８は、加速度センサ３１５を制御して、加速度センサ３１５の出力と、位置情報取得部３５２により特定された位置情報とに基づいて、ユーザのバンプ操作を検知する。
【００３７】
通信制御部３６０は、ネットワークＩＦ３０６を制御して、作成支援サーバ４との通信を実現する。
【００３８】
図８は、作成支援サーバ４により管理されるテンプレートのデータ構造を例示する図である。
図８に例示するように、作成支援サーバ４は、テンプレートを識別するテンプレートＩＤ、出版物名、及び出版物の識別コードを互いに関連付け、出版物テーブルとしてテンプレートＤＢ６００に格納している。また、作成支援サーバ４は、テンプレートＩＤ、ロケーション名、ロケーション説明、背景画像、配置順序ＩＤ、位置情報、パンフレット定義、吹き出し定義、候補文字列、及び出版物ＩＤ（親）を互いに関連付け、テンプレートテーブルとしてテンプレートＤＢ６００に格納している。ロケーション名は、テンプレートに表示される観光地名などである。ロケーション説明は、観光地に関する説明文である。背景画像は、テンプレートに挿入される背景画像のデータである。位置情報は、観光地などの場所を示す情報（座標など）である。
すなわち、出版物の識別コード、位置情報及びテンプレートＩＤが互いに関連付けられてテンプレートＤＢ６００に登録されている。
また、作成支援サーバ４は、テンプレート上の画像配置座標（配置情報１〜Ｎ）を配置順序ＩＤに関連付け、配置順序テーブルとしてテンプレートＤＢ６００に格納している。これにより、テンプレートが選択された状態で、画像データが作成支援サーバ４に順次登録されると、この配置情報に従って、登録された画像データが順にテンプレート上に自動的に配置されていく。
【００３９】
図９は、作成支援サーバ４により管理されるユーザデータのデータ構造を例示する図である。
図９に例示するように、作成支援サーバ４は、利用者を識別する利用者ＩＤ、利用者名、及び利用者情報を互いに関連付け、利用者管理テーブルとしてグループＤＢ６２０に格納する。利用者情報には、例えば、利用者の携帯端末の識別情報、性別などが含まれている。
また、作成支援サーバ４は、利用者ＩＤ及びアルバムＩＤを互いに関連付け、参加者テーブルとしてグループＤＢ６２０に格納する。同一のアルバムＩＤに対して利用者ＩＤが複数登録された場合、最初に登録された利用者がオーナーであり、登録された他の利用者が参加者となる。
また、作成支援サーバ４は、アルバムを識別するアルバムＩＤ、出版物ＩＤ、アルバム名称、及び、親利用者ＩＤ（オーナーの利用者ＩＤ）を互いに関連付け、アルバム管理テーブルとしてアルバムＤＢ６１０に格納する。アルバム名称は、例えば、アルバムのタイトルとして表示される文字列である。
また、作成支援サーバ４は、アルバムを構成するページそれぞれを識別するページＩＤ、アルバムＩＤ、テンプレートＩＤ、及び公開フラグを互いに関連付け、ページテーブルとしてアルバムＤＢ６１０に格納する。公開フラグは、関連付けられたページを公開するか否かを指示するフラグである。
また、作成支援サーバ４は、写真を識別する写真ＩＤ、ページＩＤ、撮影者ＩＤ、撮影位置情報、時刻情報、配置情報、画像、及び公開フラグを互いに関連付け、写真テーブルとしてアルバムＤＢ６１０に格納する。撮影位置情報は、画像の撮影場所（位置情報）である。時刻情報は、画像が撮影された時刻を示す情報である。配置情報は、画像が配置されるテンプレート上の位置を示す情報である。画像は、撮影された画像データである。公開フラグは、関連付けられた画像を公開するか否かを指示するフラグである。
【００４０】
次に、アルバム編集システム１の動作を説明する。
図１０は、アルバムの状態遷移を表す図である。
図１０に例示するように、旅行開始時に、オーナーが利用者情報などを作成支援サーバ４に登録すると、作成支援サーバ４は、登録された利用者情報などに基づいて、オーナーの利用者管理テーブルを新規に作成する。
その後、携帯端末３で出版物９０の二次元バーコード９００を読み取り、読み取られた出版物ＩＤを作成支援サーバ４に送信する。作成支援サーバ４（識別情報取得部５００）は、オーナーの利用者ＩＤに関連付けて、受信した出版物ＩＤをアルバム管理テーブルに登録する。
また、作成支援サーバ４は、オーナーからの指示に応じて、旅行に同行する参加者の情報を利用者管理テーブル及び参加者テーブルに追加していく（図１３を参照して後述）。これにより、図１４に例示するように、オーナー及び参加者の名前が挿入されたアルバム９２の表紙が作成支援サーバ４によって作成される。また、旅行のルートが登録されると、図１４に例示するアルバム９２の１ページ目（ルートマップ）が作成支援サーバ４によって作成される。
【００４１】
オーナーが、携帯端末３に対して旅行開始を示す操作を行うと、作成支援サーバ４は、アルバムを旅行中のステータスに変更し、画像追加処理（Ｓ１０）及びコメント追加処理（Ｓ２０）の待機状態となる。オーナー及び参加者は、旅行先で写真撮影などを行い、アルバムのテンプレート９１に写真等を追加していく。これにより、図１４に例示するアルバム９２の２ページ目以降が作成支援サーバ４によって順に作成されていく。
【００４２】
オーナーが、携帯端末３に対して旅行終了を示す操作を行うと、作成支援サーバ４は、アルバムを非公開状態にする。オーナーは、ページテーブル又は写真テーブルに登録されている公開フラグを変更することにより、ページ単位又は写真単位で、公開又は非公開の設定を行うことができる。
【００４３】
オーナーが、携帯端末３に対してアルバムの公開を指示する操作を行うと、作成支援サーバ４は、設定された公開フラグに従って、アルバムを公開状態にする。例えば、作成支援サーバ４は、インターネット上に、作成されたアルバムの一部又は全部を公開フラグに従って公開する。
【００４４】
図１１は、作成支援サーバ４がテンプレートに画像を追加する画像追加処理（Ｓ１０）のフローチャートである。
図１１に例示するように、ステップ１００（Ｓ１００）において、作成支援サーバ４は、携帯端末３から画像データを受信するまで待機し（Ｓ１００：Ｎｏ）、画像データを受信すると、S１０５の処理に移行する（Ｓ１００：Ｙｅｓ）。
【００４５】
ステップ１０５（Ｓ１０５）において、アルバム編集部５４０は、参加者テーブルを参照して、携帯端末３から画像データと共に受信した利用者ＩＤに関連付けられたアルバムを検索する。
ステップ１１０（Ｓ１１０）において、アルバム編集部５４０は、検索により発見されたアルバムのアルバムＩＤに基づいて、アルバム管理テーブルから、出版物ＩＤを検索する。
【００４６】
ステップ１１５（Ｓ１１５）において、場所特定部５１０は、画像データに添付された位置情報に基づいて、撮影位置情報（位置情報）を生成する。
テンプレート選択部５２０は、検索で発見された出版物ＩＤと、生成された撮影位置情報（位置情報）とに基づいて、テンプレートテーブルから、テンプレートを検索する。
【００４７】
ステップ１２０（Ｓ１２０）において、作成支援プログラム５０は、ページテーブルを参照して、検索で発見されたテンプレートが既使用であるか否かを判断し、テンプレートが既使用である場合に、Ｓ１３０の処理に移行し、これ以外の場合に、Ｓ１２５の処理に移行する。
【００４８】
ステップ１２５（Ｓ１２５）において、テンプレート選択部５２０は、検索により発見されたテンプレートを新規ページのテンプレートとして選択し、ページテーブルのレコードを追加する。
テンプレート送信部５３０は、テンプレート選択部５２０により選択されたテンプレートを、新規ページのテンプレートとして携帯端末３に表示させる。
【００４９】
ステップ１３０（Ｓ１３０）において、作成支援プログラム５０は、携帯端末３において通常モード又はパンフレットモードのいずれで撮影が行われたかを判断し、通常モードで撮影された場合に、Ｓ１４０の処理に移行し（Ｓ１３０：Ｎｏ）、パンフレットモードで撮影された場合に、Ｓ１３５の処理に移行する（Ｓ１３０：Ｙｅｓ）。
【００５０】
ステップ１３５（Ｓ１３５）において、パンフレット抽出部５６０は、テンプレートＩＤに関連付けられたパンフレット定義を、テンプレートテーブルから読み出し、読み出されたパンフレット定義を用いて、携帯端末３から受信した画像データから、パンフレットに相当する画像領域を抽出する。
【００５１】
ステップ１４０（Ｓ１４０）において、アルバム編集部５４０は、テンプレートＩＤに関連付けられた配置順序ＩＤに基づいて、配置順序テーブルから、配置情報を読み出し、写真テーブルのレコードにコピーする。
ステップ１４５（Ｓ１４５）において、アルバム編集部５４０は、携帯端末３から受信した画像（又は、パンフレット抽出部５６０により抽出されたパンフレット画像）をテンプレートに追加する。これにより、写真テーブルの各レコードが追記される。
【００５２】
このように、作成支援プログラム５０は、オーナー又は参加者が観光地等で写真を撮影すると、自動的に、旅行ガイドブック及び撮影場所に対応したテンプレートを選択し、選択されたテンプレートに、撮影された写真を挿入していく。
【００５３】
図１２は、作成支援サーバ４がテンプレートにコメントを追加するコメント追加処理（Ｓ２０）のフローチャートである。
図１２に例示するように、ステップ２００（Ｓ２００）において、作成支援サーバ４は、携帯端末３から音声データを受信するまで待機し（Ｓ２００：Ｎｏ）、音声データを受信すると、Ｓ２０５の処理に移行する（Ｓ２００：Ｙｅｓ）。なお、本例では、音声データが画像データと共に送受信される形態を具体例として説明するが、これに限定されるものではない。
【００５４】
ステップ２０５（Ｓ２０５）において、コメント付加部５５０は、音声データと同時に受信した画像データが挿入されるテンプレートを特定する。なお、画像データが挿入されるテンプレートは、画像追加処理（Ｓ１０）において決定される。
【００５５】
ステップ２１０（Ｓ２１０）において、コメント付加部５５０は、テンプレートを特定できた場合に、Ｓ２１５の処理に移行し（Ｓ２１０：Ｙｅｓ）、テンプレートを特定できない場合に、コメント追加処理（Ｓ２０）を終了する。
【００５６】
ステップ２１５（Ｓ２１５）において、コメント付加部５５０は、特定されたテンプレートのテンプレートＩＤに関連付けられた吹き出し定義及び候補文字列を、テンプレートテーブルから読み出す。
【００５７】
ステップ２２０（Ｓ２２０）において、コメント付加部５５０は、読み出された候補文字列を用いて、受信した音声データから、ユーザが発声した言葉に相当する文字列をコメント文字列として抽出する。
【００５８】
ステップ２２５（Ｓ２２５）において、コメント付加部５５０は、吹き出し定義に従った形状、大きさ、及び色の吹き出し画像に、抽出されたコメント文字列を挿入する。
コメント付加部５５０は、同時に受信した画像の一部に重ね合わせて、コメント文字列が挿入された吹き出し画像をテンプレートに貼り付ける。
【００５９】
図１３は、作成支援サーバ４による共有設定処理（Ｓ３０）のフローチャートである。
図１３に例示するように、ステップ３００（Ｓ３００）において、ユーザ管理部５７０は、複数の携帯端末３によるバンプ操作を検知するまで待機し（Ｓ３００：Ｎｏ）、バンプ操作を検知すると、Ｓ３０５の処理に移行する（Ｓ３００：Ｙｅｓ）。なお、バンプ操作の検知は、既存のバンプによるデータ交換システムからの通知によってもよいし、携帯端末３の位置特定装置３１２及び加速度センサ３１５の出力データを撮影支援サーバ４が受信してバンプ操作を検知するように構成してもよい。
【００６０】
ステップ３０５（Ｓ３０５）において、ユーザ管理部５７０は、バンプ操作を行った携帯端末３の利用者ＩＤを特定する。例えば、ユーザ管理部５７０は、既存のシステムから、バンプ操作を行った携帯端末３の識別情報を取得し、取得した識別情報（例えば、利用者管理テーブルの利用者情報に登録されている）に基づいて、利用者ＩＤを特定する。
【００６１】
ステップ３１０（Ｓ３１０）において、ユーザ管理部５７０は、特定された利用者ＩＤのいずれかが親利用者のＩＤであるか否か（すなわち、オーナーの利用者ＩＤであるか否か）を判断し、いずれかが親利用者のＩＤである場合に、Ｓ３１５の処理に移行し（Ｓ３１０：Ｙｅｓ）、いずれも親利用者のＩＤではない場合に、Ｓ３２０の処理に移行する（Ｓ３１０：Ｎｏ）。
【００６２】
ステップ３１５（Ｓ３１５）において、ユーザ管理部５７０は、特定された親利用者以外の利用者ＩＤを、参加者テーブル及び利用者管理テーブルに追加して、親利用者（オーナー）が編集するアルバムに関する閲覧権限及び編集権限を付与する。
【００６３】
ステップ３２０（Ｓ３２０）において、ユーザ管理部５７０は、エラーメッセージを携帯端末３に表示させて、共有設定処理（Ｓ３０）を終了する。
【００６４】
以上説明したように、本実施形態のアルバム編集システム１によれば、旅行ガイドブック９０とデザインイメージが共通するテンプレートを用いて、容易に旅行アルバムを作成することができる。
また、本アルバム編集システム１によれば、各観光地で配布されるパンフレットを撮影するだけで、パンフレットの画像を旅行アルバムに挿入することができる。
また、本アルバム編集システム１によれば、写真撮影の前後などに音声を録音するだけで、撮影された写真にコメントを付けてアルバムに挿入することができる。
また、本アルバム編集システム１によれば、旅行ガイドブックとデザインイメージが近い電子アルバムが作成され、共有又は公開されるため、このように作成された電子アルバムの共有又は公開が、旅行ガイドブックの販売促進に繋がることも期待できる。
【符号の説明】
【００６５】
１…アルバム編集システム
３…携帯端末
４…作成支援サーバ
５０…作成支援プログラム
９０…出版物
９１…テンプレート
９２…アルバム
３００…ＣＰＵ
３０２…揮発性メモリ
３０４…不揮発性メモリ
３０６…ネットワークＩＦ
３０８…タッチパネル
３１０…カメラ
３１２…位置特定装置
３１４…音声入出力装置
３１６…バス
３５０…編集支援プログラム
３５２…位置情報取得部
３５４…カメラ制御部
３５６…音声入出力制御部
３５８…入出力部
３６０…通信制御部
４００…ＣＰＵ
４０２…メモリ
４０４…ＨＤＤ
４０６…ネットワークＩＦ
４０８…表示装置
４１０…入力装置
４１２…バス
５００…識別情報取得部
５１０…場所特定部
５２０…テンプレート選択部
５３０…テンプレート送信部
５４０…アルバム編集部
５５０…コメント付加部
５６０…パンフレット抽出部
５７０…ユーザ管理部
５８０…アルバム配信部
６００…テンプレートデータベース
６１０…アルバムデータベース
６２０…グループデータベース
９００…二次元コード
【図１】
2014153926.tif 000003
【図２】
2014153926.tif 000004
【図３】
2014153926.tif 000005
【図４】
2014153926.tif 000006
【図５】
2014153926.tif 000007
【図６】
2014153926.tif 000008
【図７】
2014153926.tif 000009
【図８】
2014153926.tif 000010
【図９】
2014153926.tif 000011
【図１０】
2014153926.tif 000012
【図１１】
2014153926.tif 000013
【図１２】
2014153926.tif 000014
【図１３】
2014153926.tif 000015
【図１４】
2014153926.tif 000016